(57)【要約】【課題】機能部材を屋根へ設置するにあたって、屋根材に荷重をかけにくくして、屋根材の破損を抑制することができる機能部材の屋根への設置構造を提供する。【解決手段】機能部材１が屋根２へ設置された構造に関する。前記屋根２が、複数の屋根材３を屋根下地４に葺設して形成されている。荷重受け具５が前記屋根材３を貫通して前記屋根下地４に固定されている。前記機能部材１を支持する支持具６が前記荷重受け具５に載置されて取り付けられている。【選択図】図１
2014077317.tif 000002
【特許請求の範囲】
【請求項１】
機能部材が屋根へ設置された構造であって、前記屋根が、複数の屋根材を屋根下地に葺設して形成され、荷重受け具が前記屋根材を貫通して前記屋根下地に固定され、前記機能部材を支持する支持具が前記荷重受け具に載置されて取り付けられていることを特徴とする機能部材の屋根への設置構造。
【請求項２】
前記荷重受け具と前記支持具との間に防水部材が設けられていることを特徴とする請求項１に記載の機能部材の屋根への設置構造。
【請求項３】
座部が前記支持具の下に位置するように前記屋根材に設けられていることを特徴とする請求項１又は２に記載の機能部材の屋根への設置構造。
【請求項４】
前記荷重受け具が荷重受け用ビスであり、前記荷重受け用ビスの頭部が前記座部の上面と面一となるように又は前記上面より上方に突出するように、前記荷重受け用ビスが前記座部を貫通して前記屋根下地に固定されていることを特徴とする請求項３に記載の機能部材の屋根への設置構造。
【発明の詳細な説明】
【技術分野】
【０００１】
本発明は、機能部材の屋根への設置構造に関するものである。
【背景技術】
【０００２】
従来、太陽電池（ＰＶ：Photovoltaic）、太陽熱温水器、看板類、アンテナ等の機能部材１を屋根２へ設置するにあたっては、例えば、機能部材１を支持するための台座受部２２が一体的に上面に形成された屋根材３が用いられている（例えば、特許文献１参照）。そして、屋根２は、図２に示すように、台座受部２２が形成された屋根材３と、台座受部２２が形成されていない通常の屋根材３とをそれぞれ屋根下地４に設けた瓦桟２３に引っ掛けて葺設することによって形成されている。
【０００３】
しかし、屋根下地４と屋根材３との間に隙間がある場合、図２の矢印で示すように屋根材３に荷重がかかったときに屋根材３が破損するおそれがある。特に台座受部２２が形成された屋根材３は、後から重量のある機能部材１が設置されるので荷重がかかりやすい。
【０００４】
そこで、図３（ａ）に示すように、合板や木材などで形成された受け材２４を所定枚数重ね、これを屋根下地４と屋根材３との間の隙間に介在させ、この受け材２４で屋根材３を下から支えて、屋根材３の破損を抑制することが考えられる。
【先行技術文献】
【特許文献】
【０００５】
【特許文献１】特許第３３９４６３２号公報
【発明の概要】
【発明が解決しようとする課題】
【０００６】
しかし、実際には、受け材２４の枚数を調整することによって、屋根下地４と屋根材３との間に隙間なく受け材２４を介在させることは困難である。そして、受け材２４と屋根材３との間にわずかでも隙間があると、屋根材３に荷重がかかったときに屋根材３が破損するおそれがある。
【０００７】
また、図３（ｂ）に示すように屋根下地４に瓦桟２３を設けずに屋根２を形成する場合もあるが、この場合には瓦桟２３を設ける場合に比べて、屋根下地４と屋根材３との間の隙間が狭くなる。そのため、受け材２４の枚数を減らす必要があるが、この場合にも屋根下地４と屋根材３との間に隙間なく受け材２４を介在させることが困難となる。例えば、１枚の受け材２４の厚みより薄い隙間が残ってしまう場合がある。
【０００８】
さらに、瓦桟２３を設ける場合も設けない場合も、屋根材３を葺設した後に屋根材３の下に隙間がないことを確認することも困難である。
【０００９】
本発明は上記の点に鑑みてなされたものであり、機能部材を屋根へ設置するにあたって、屋根材に荷重をかけにくくして、屋根材の破損を抑制することができる機能部材の屋根への設置構造を提供することを目的とするものである。
【課題を解決するための手段】
【００１０】
本発明に係る機能部材の屋根への設置構造は、機能部材が屋根へ設置された構造であって、前記屋根が、複数の屋根材を屋根下地に葺設して形成され、荷重受け具が前記屋根材を貫通して前記屋根下地に固定され、前記機能部材を支持する支持具が前記荷重受け具に載置されて取り付けられていることを特徴とするものである。
【００１１】
前記機能部材の屋根への設置構造において、前記荷重受け具と前記支持具との間に防水部材が設けられていることが好ましい。
【００１２】
前記機能部材の屋根への設置構造において、座部が前記支持具の下に位置するように前記屋根材に設けられていることが好ましい。
【００１３】
前記機能部材の屋根への設置構造において、前記荷重受け具が荷重受け用ビスであり、前記荷重受け用ビスの頭部が前記座部の上面と面一となるように又は前記上面より上方に突出するように、前記荷重受け用ビスが前記座部を貫通して前記屋根下地に固定されていることが好ましい。
【発明の効果】
【００１４】
本発明によれば、機能部材を屋根へ設置するにあたって、機能部材を支持する支持具の荷重が主として荷重受け具にかかって、屋根材にはかかりにくくなることによって、屋根材の破損を抑制することができるものである。
【図面の簡単な説明】
【００１５】
【図１】本発明に係る機能部材の屋根への設置構造の一例を示すものであり、（ａ）は断面図、（ｂ）は分解斜視図である。
【図２】従来の機能部材の屋根への設置構造の一例を示す断面図である。
【図３】従来の機能部材の屋根への設置構造の他の一例を示すものであり、（ａ）は瓦桟を設ける場合の断面図、（ｂ）は瓦桟を設けない場合の断面図である。
【発明を実施するための形態】
【００１６】
以下、本発明の実施の形態を説明する。
【００１７】
図１は本発明に係る機能部材１の屋根２への設置構造の一例を示すものである。これは、太陽電池（ＰＶ：Photovoltaic）、太陽熱温水器、看板類、アンテナ等の機能部材１が屋根２へ設置された構造である。
【００１８】
屋根２は、垂木１１に屋根下地４（野地板）を設置し、この屋根下地４の上面にアスファルトルーフィング１２を貼設した後、この上面に複数の屋根材３を軒棟方向に平行な方向及び軒棟方向に垂直な方向に葺設して形成されている。なお、図１（ｂ）では支持具６（後述）を取り付ける屋根材３を図示し、この屋根材３の周囲に葺設される屋根材３の図示は省略している。
【００１９】
ここで、屋根材３としては、支持具６を取り付けるものと取り付けないものとがあるが、特に支持具６を取り付ける屋根材３としては、上面に座部８が一体的に設けられたものを用いることが好ましい。図１（ｂ）では屋根材３の上面の最も低い箇所である最低部１３を含む隙間をあけて２つの座部８が１組として設けられている。上記の最低部１３は棟側から軒側にかけて形成されているので、屋根２に降った雨水等は屋根材３の最低部１３を通って棟側から軒側に向かって流れ落ちる。１組の座部８の上面は平坦で同じ高さである。また各座部８には上面から屋根材３の下面に貫通する第一貫通孔１４及び第二貫通孔１５が形成されている。第一貫通孔１４及び第二貫通孔１５の数や相対的な位置関係は特に限定されるものではないが、図１（ｂ）では座部８の軒棟方向の両端部に第二貫通孔１５が１つずつ形成され、これらの第二貫通孔１５に挟まれて２つの第一貫通孔１４が軒棟方向に形成されている。以下ではこのような座部８が設けられた屋根材３を用いる場合について説明する。屋根材３の材質は、例えば窯業系材料等を挙げることができるが、このものに限定されるものではない。また屋根材３の形状は、例えばＪ形、Ｓ形、Ｆ形等を挙げることができるが、これらのものに限定されるものではない。また屋根材３の寸法も特に限定されるものではない。また屋根２全体の形状は、例えば切妻造や寄棟造などを挙げることができるが、これらのものに限定されるものではない。
【００２０】
そして、機能部材１を屋根２へ設置するにあたっては、まず荷重受け具５を屋根材３を貫通して屋根下地４に固定する。ここで、荷重受け具５は、特に限定されるものではないが、ビスであることが好ましいので、以下では適宜、荷重受け用ビス９として説明する。すなわち、荷重受け用ビス９は、屋根材３に設けられた座部８の第一貫通孔１４に打入され、そのまま第一貫通孔１４を貫通し、屋根下地４に突き刺さって固定されている。このとき荷重受け用ビス９は、遊びがある状態で座部８の第一貫通孔１４を貫通している。また屋根下地４の強度が低い場合には、図１に示すように屋根下地４の上面に補助板１６（想像線で示す）を設けて強度を高め、荷重受け用ビス９を補助板１６も貫通させて屋根下地４に固定するようにしてもよい（図１（ａ）参照）。また荷重受け用ビス９の頭部１０は、座部８の上面と面一となっていることが好ましく、座部８の上面よりわずかに上方に突出していることがより好ましい。このときの突出寸法は、特に限定されるものではないが、例えば０．１〜２ｍｍ程度である。
【００２１】
次に図１に示すように支持具６を荷重受け具５に載置する。支持具６は、機能部材１を支持しやすい形状に形成されていれば特に限定されるものではないが、以下では支持具６として、矩形状の取付板１７の四隅に第三貫通孔１８を設け、中央部にハット状の支持部１９を設けて形成されたものを用いる場合について説明する。具体的に支持具６を荷重受け具５に載置するにあたっては、１組の座部８を貫通する荷重受け用ビス９（図１では４本）の頭部１０に支持具６の取付板１７を架け渡して載置する。このとき図１に示すように、荷重受け具５である荷重受け用ビス９と、支持具６の取付板１７との間に防水部材７を介在させて設けることが好ましい。防水部材７としては、例えば、ブチルゴム、ＥＰＤＭゴム等を用いることができる。上記のように防水部材７を設けると、雨水等が座部８の第一貫通孔１４及び第二貫通孔１５に浸入しにくくなり、防水性を高めることができるものである。
【００２２】
そして、上記のように支持具６を荷重受け具５に載置した後、固定用ビス２０を支持具６の第三貫通孔１８に打入し、そのまま座部８の第二貫通孔１５を貫通させ、屋根下地４に突き刺して固定する。このように支持具６を荷重受け具５に載置して取り付けることができる。このとき固定用ビス２０は、遊びがある状態で座部８の第二貫通孔１５を貫通していることが好ましい。また屋根下地４の強度が低い場合には、上述のように屋根下地４の上面に補助板１６を設けて強度を高め、固定用ビス２０を補助板１６も貫通させて屋根下地４に固定するようにしてもよい（図１（ａ）参照）。
【００２３】
ここで、座部８は支持具６の下に位置しているので、荷重受け用ビス９の頭部１０が座部８の上面と面一となっている場合には、支持具６を安定的に座部８に載置して取り付けることができるものである。また荷重受け用ビス９の頭部１０が座部８の上面よりわずかに上方に突出している場合には、支持部６が座部８から若干浮いているが、上記のように防水部材７を介在させるなどすれば、支持具６をより安定的に座部８に載置して取り付けることができるものである。
【００２４】
その後、支持具６で機能部材１を支持することによって、図１（ａ）に示すような機能部材１の屋根２への設置構造を形成することができる。支持具６によって機能部材１を支持する方法は特に限定されるものではなく、例えば、支持具６の支持部１９に支持用孔２１を設け、この支持用孔２１を利用して機能部材１を支持したり、ビス留め等により機能部材１を支持したりすることができる。
【００２５】
上記のように形成された機能部材１の屋根２への設置構造においては、次のようにして屋根材３の破損が抑制される。すなわち、機能部材１を屋根２へ設置するにあたって、荷重受け用ビス９の頭部１０が座部８の上面よりわずかに上方に突出している場合には、支持具６は座部８から若干浮いている。そのため、機能部材１を支持する支持具６の荷重は、荷重受け具５である荷重受け用ビス９にかかる。このとき荷重受け用ビス９は、遊びがある状態で座部８の第一貫通孔１４を貫通しているので、荷重受け用ビス９にかかる荷重は屋根材３には伝達しにくい。また荷重受け用ビス９の頭部１０が座部８の上面と面一となっている場合でも、機能部材１を支持する支持具６の荷重は、一部座部８にかかるものの、主として荷重受け具５である荷重受け用ビス９にかかる。このように、遊びがある状態で屋根材３を貫通している荷重受け具５によって、機能部材１を支持する支持具６の荷重は、屋根材３にはかかりにくくなるので、屋根材３の破損を抑制することができるものである。
【符号の説明】
【００２６】
１  機能部材
２  屋根
３  屋根材
４  屋根下地
５  荷重受け具
６  支持具
７  防水部材
８  座部
９  荷重受け用ビス
１０  頭部
【図１】
2014077317.tif 000003
【図２】
2014077317.tif 000004
【図３】
2014077317.tif 000005